(57)【要約】【課題】家庭での廃油のリサイクルを促進するための家庭からの廃油回収方法を提供する。【解決手段】家庭２から排出される廃油を持ち寄って溜めるスーパーマーケット等廃油保管箇所１に設置した廃油収容容器本体３と、前記廃油収容容器本体３を搬出する移動手段５と、搬出された廃油収容容器本体３の廃油を受け入れて再生する再生施設４と、廃油収容容器本体３の廃油の保管量に応じた入力情報と移動手段５へ指示する出力情報とを通信手段１０，１１を介して接続した管理用コンピュータ７とを備える。廃油収容容器本体３がほぼ満杯になったらその管理者により通信手段１０を介して管理用コンピュータ７側へ通信する。この通信の入力により管理用コンピュータ７を利用して再び通信手段１１により移動手段５へ廃油収容容器本体３の搬出を出力する。満杯となった廃油収容容器本体３は再生施設４へ搬出されるものである。【選択図】　　　図１
2004062746.tif 000002
【特許請求の範囲】
【請求項１】
コンピュータシステムにより家庭からの廃油を回収する方法において、家庭から排出される廃油を持ち寄って溜めるスーパーマーケット等商店、地域公共センター等の廃油保管箇所に設置した廃油収容容器本体と、前記廃油収容容器本体を搬出する移動手段と、前記搬出された廃油収容容器本体の廃油を受け入れて再生する再生施設と、前記廃油収容容器本体の廃油の保管量に応じた入力情報と前記移動手段へ指示する出力情報とを通信手段を介して接続した管理用コンピュータとを備えたことを特徴とする家庭からの廃油回収方法。
【請求項２】
前記管理用コンピュータの表示部には、前記廃油保管箇所の表示と、前記廃油保管箇所に対応する廃油の保管量の表示がなされることを特徴とする請求項１記載の家庭からの廃油回収方法。
【請求項３】
前記廃油収容容器本体がドラム缶であることを特徴とする請求項１記載の家庭からの廃油回収方法。
【発明の詳細な説明】
【０００１】
【発明の属する技術分野】
本発明は、家庭から排出される家庭からの廃油回収方法に関する。
【０００２】
【発明が解決しようとする課題】
従来、業務用廃油、例えばレストランなどから排出される廃油は、産業廃棄物として廃油処理施設により引き取られ、そして処理施設で廃油は各種処理がなされ、再び使用することができる油として再生されリサイクルされるようになっている。
【０００３】
一方、一般家庭から排出される天ぷら油などの廃油は、業務用廃油とは異なり、市販の化学薬品を使用して固め家庭ごみなどとして排出されている。したがって、このような一般家庭の廃棄方法では廃油は焼却処理されてしまうので、リサイクルできない。
【０００４】
ところで、一般家庭から排出される廃油は各家庭での量は少なく、このためにレストランなどから排出されるような大量の廃油の処理と同様に扱うことができないという問題がある。
【０００５】
そこで、本発明は、各家庭で排出する廃油を寄せ集めて業務用の廃油と同様にリサイクルするにあたり、その回収方法をコンピュータを用いて合理的に回収して家庭での廃油のリサイクルを促進するための家庭からの廃油回収方法を提供することを目的とする。
【０００６】
【課題を解決するための手段】
請求項１の発明は、コンピュータシステムにより家庭からの廃油を回収する方法において、家庭から排出される廃油を持ち寄って溜めるスーパーマーケット等商店、地域公共センター等の廃油保管箇所に設置した廃油収容容器本体と、前記廃油収容容器本体を搬出する移動手段と、前記搬出された廃油収容容器本体の廃油を受け入れて再生する再生施設と、前記廃油収容容器本体の廃油の保管量に応じた入力情報と前記移動手段へ指示する出力情報とを通信手段を介して接続した管理用コンピュータとを備えたことを特徴とする家庭からの廃油回収方法である。
【０００７】
この請求項１の構成によれば、廃油保管箇所に設置した廃油収容容器本体に各家庭で排出された廃油を持ちよって溜める。そして、廃油収容容器本体がほぼ満杯になったら管理者或いは廃油収容容器本体のセンサーにより通信手段を介して管理用コンピュータへ通信する。この通信の入力により管理用コンピュータを利用して再び通信手段により移動手段へ廃油収容容器本体の搬出を出力することにより、満杯となった廃油収容容器本体は再生施設へ搬出されるものである。
【０００８】
請求項２の発明は、前記管理用コンピュータの表示部には、前記廃油保管箇所の表示と、前記廃油保管箇所に対応する廃油の保管量の表示がなされることを特徴とする請求項１記載の家庭からの廃油回収方法である。
【０００９】
この請求項２の構成によれば、管理用コンピュータの表示部に廃油保管箇所の表示と、前記廃油保管箇所に対応する廃油の保管量の表示がなされる。
【００１０】
請求項３の発明は、前記廃油収容容器本体がドラム缶であることを特徴とする請求項１記載の家庭からの廃油回収方法である。
【００１１】
この請求項３の構成によれば、家庭から排出される天ぷら油等廃食用油も、スーパーマーケット等の業務用のものと同様にドラム缶によって回収できる。
【００１２】
【発明の実施形態】
以下、本発明の実施形態を添付図を参照して説明する。図１は第１実施形態を示しており、スーパーマーケット、コンビニエンスストア、ガソリンスタンド等商店、各種学校、病院等地域公共施設、ごみステーションなどの人の集まりやすい箇所に設置した廃油保管箇所１には、それぞれ家庭２から排出される天ぷら油等廃食用油などの廃油を持ち寄って溜めるために廃油収容容器本体３が設置されている。尚、前記廃油収容容器本体３は、波状の凹凸をつけた鉄板で作った太鼓型をなしたドラム缶を用いる。また、廃油保管箇所１には管理者が定められている。そして廃油保管箇所１とは別の箇所に業務用や家庭用を問わずに廃油を受け入れて再生する再生施設４が設置されている。そして、廃油を移動するための平らな荷台を備えたトラックや廃油用タンクを備えたトラックなどの移動手段５が設けられる。
【００１３】
さらに、廃油回収を管理運営するための運用管理センター６に設置した、運用管理するための管理用コンピュータ７は、演算手段や記憶手段を内蔵した本体７Ａと表示部８とキーボード、マウスなどの操作部９を備えている。そして、本体７には廃油収容容器本体３の廃油の保管量に応じた入力情報が通信手段１０を介して接続している。一方、本体７Ａには前記移動手段５へ指示する出力情報が通信手段１１を介して接続している。尚、表示部８には、廃油保管箇所１を示す「Ｎｏ．１」「Ｎｏ．２」「Ｎｏ．３」等の番号や設置場所の住所などの廃油保管箇所１を特定するための表示８１、前記廃油保管箇所１、すなわち表示８１に対応する廃油収容容器本体３の廃油の保管量の表示８２、及び移動手段５へ指示を出力したか否かを表示する出力表示８３がなされる。保管量の表示８２は満杯に近いか否かを表示しており、満杯に近い場合には○印８Ａが表示されている。また、出力表示８３において、移動手段５へ指示を出力した場合には、○印８Ｂが表示されている。このため、本体７Ａには、表示８１，８２，８３の表示ソフトと、操作部９により表示８２，８３に対応する印８Ａ，８Ｂの情報を入力できる入力ソフトと、これらを保存する保存ソフト等が設けられている。
【００１４】
次に前記構成についてその方法を説明する。まず、家庭２においては、油ポットなどで廃油となった油をびんなどに溜めておき、そしてこの廃油を廃油保管箇所１に持って行き（矢印Ａ）、廃油を廃油収容容器本体３に投入して溜める。このようにして各家庭２から持ちよって寄せ集めた廃油が廃油収容容器本体３のほぼ満杯に近くなると、廃油収容容器本体３の管理者は、電話等の通信手段１０を用いて廃油収容容器本体３の廃油が満杯に近づいたという保管量に応じた入力情報を運用管理センター６の管理者に連絡する。運用管理センター６の管理者は操作部９を操作して、前記入力情報情報を管理用コンピュータ７に入力保存する。実施形態では、例えばＮｏ．１，２の廃油保管箇所１の廃油収容容器本体３に対応して満杯を示す表示である○印８Ａが表示されている。これにより入力情報が記憶されるとともに表示もされる。このような入力情報に基づき、運用管理センター６の管理者は、電話等通信手段１１を用いて、移動手段５側に指定された箇所の廃油収容容器本体３を回収する情報を出力する。そして、管理者は操作部９を操作して、前記出力情報を管理用コンピュータ７に入力保存する。実施形態では、例えばＮｏ．１，２の廃油保管箇所１の廃油収容容器本体３に対応して移動手段５に送信したことを示す表示である○印８Ｂが表示されている。これにより出力情報が記憶されるとともに表示もされる。出力情報を受け取った移動手段５側、具体的にはトラック等は、指定された箇所に行って廃油収容容器本体３をトラック等に積んで回収する（矢印Ｂ）。この際、からの廃油収容容器本体３を廃油保管箇所１に持って行って設置する。このように移動手段５においては、廃油を収容した廃油収容容器本体３の回収と同時に、空の廃油収容容器本体３をかわりに設置するなど常時廃油収容容器本体３を廃油保管箇所１に設置するなどの管理を行う（矢印）。移動手段５側は、その後において廃油収容容器本体３を再生施設４に運搬し、そして、再生施設４において廃油を再生処理するものである。このように廃油を再生した新たな油は各種の用途に再び使用される。尚、再生施設４としては、廃油収容容器本体３の廃油は有価物として買い入れるので金を廃油保管箇所１の管理者に支払うこととなる（矢印Ｄ）。
【００１５】
さらに、上述のような家庭からの廃油の回収方法において、国、都道府県、市町村等行政機関１２が後押しする場合には、矢印Ｄに示した前記廃油収容容器本体３の廃油は有価物として買い入れるのではなく、行政機関１２と再生施設４とが両者で一般収集業務委託を行ない（矢印Ｅ）、そして行政機関１２は回収の委託費を支払う（矢印Ｆ）。一方行政機関１２と廃油保管箇所１の管理者との間に行政指導等により委託を受ける（矢印Ｇ）。尚、家庭２から廃油を回収する際に、任意の募金などを募った際には、その金額を行政機関１２に集めて活動費用の援助金として扱うようにしてもよい（矢印Ｈ）。
以上のように、前記実施形態ではコンピュータ７により家庭２からの廃油を回収する方法において、家庭２から排出される廃油を持ち寄って溜めるスーパーマーケット等商店、地域公共センター等の廃油保管箇所１に設置した廃油収容容器本体３と、前記廃油収容容器本体３を搬出する移動手段５と、前記搬出された廃油収容容器本体３の廃油を受け入れて再生する再生施設４と、前記廃油収容容器本体３の廃油の保管量に応じた入力情報と前記移動手段５へ指示する出力情報とを通信手段１０，１１を介して接続した管理用コンピュータ７とを備え、廃油保管箇所１に設置した廃油収容容器本体３に各家庭２で排出された廃油を持ちよって溜め、そして、廃油収容容器本体３がほぼ満杯になったらその管理者により通信手段１０を介して管理用コンピュータ７側へ通信する。この通信の入力により管理用コンピュータ７を利用して再び通信手段１１により移動手段５へ廃油収容容器本体３の搬出を出力することにより、満杯となった廃油収容容器本体３は再生施設４へ搬出されるものである。このように、家庭２から排出される廃油を持ち寄って溜める廃油収容容器本体３の保管量に応じた入力情報と前記移動手段へ指示する出力情報とを通信手段１０，１１を介して接続した管理用コンピュータ７を設けたことにより、廃油保管箇所１に設置した廃油収容容器本体３より寄せ集められた廃油が溢れ出るようなことはなく、一方移動手段５においても、移動手段５へ指示する前記出力情報を待って搬出すればよいので、常時廃油保管箇所１の廃油収容容器本体３を見まわる必要がなく、省人力で廃油の回収を行うことができる。
【００１６】
また、前記管理用コンピュータ６の表示部８には、前記廃油保管箇所の表示８１と、前記廃油保管箇所１に対応する廃油の保管量の表示８２がなされるので、各廃油保管箇所１の廃油の量を把握でき、回収が必要な廃油保管箇所１を簡単に把握することができる。
【００１７】
さらに、前記廃油収容容器本体３がドラム缶であることで家庭２から排出される天ぷら油等廃食用油も、スーパーマーケット等の業務用のものと同様にドラム缶によって回収できる。
【００１８】
図２及び図３は第２及び第３実施形態を示しており、前記第１実施形態と同一部分には同一符号を付し、その詳細な説明を省略する。第２実施形態においては、第１実施形態のように行政機関１２を介在しない場合を示した場合であり、この場合には廃油保管箇所１の管理者と再生施設４の管理者とが両者提携して運営を行なうものであって、廃油を有価物として扱うものである。そして、廃油保管箇所１である上述のスーパーマーケット等から排出される食用油等廃油２１も、廃油収容容器本体３の廃油と同時或いは別々に移動手段５により有価物或いは産業廃棄物として再生施設４に搬送されて（矢印Ｉ）廃油の再生がなされる。
【００１９】
このような第２実施形態においても、廃油保管箇所１に設置した廃油収容容器本体３より寄せ集められた廃油が溢れ出るようなことはなく、一方移動手段５においても、移動手段５へ指示する前記出力情報を待って搬出すればよいので、常時廃油保管箇所１の廃油収容容器本体３を見まわる必要がなく、省人力で廃油の回収を行うことができる。
【００２０】
第３実施形態においては、移動手段５としての運送業者を中心に廃油の回収がなされるものであり、家庭２においては、廃油を廃油保管箇所１に持って行き（矢印Ａ）、廃油収容容器本体３に投入して溜める。そして廃油が廃油収容容器本体３のほぼ満杯に近くなると、廃油収容容器本体３の管理者は、電話等の通信手段１０を用いて廃油収容容器本体３の廃油が満杯に近づいたという保管量に応じた入力情報を運用管理センター６の管理者に連絡する。管理者は操作部９を操作して、前記入力情報情報を管理用コンピュータ７に入力保存する。このような入力情報に基づき、運用管理センター６の管理者は、電話等通信手段１１を用いて、移動手段５側に指定された箇所の廃油収容容器本体３を回収する情報を出力する。出力情報を受け取った移動手段５側、具体的にはトラック等は、指定された箇所に行って廃油収容容器本体３をトラック等に積んで回収する（矢印Ｂ）。この際、からの廃油収容容器本体３を廃油保管箇所１に持って行って設置する。このように移動手段５においては、廃油を収容した廃油収容容器本体３の回収と同時に、空の廃油収容容器本体３をかわりに設置するなど常時廃油収容容器本体３を廃油保管箇所１に設置するなどの管理を行う（矢印）。移動手段５側は、その後において廃油収容容器本体３を再生施設４に有価物として運搬し（矢印Ｂ´）、そして、再生施設４において廃油を再生処理するものである。このように廃油を再生した新たな油は各種の用途に再び使用される。尚、再生施設４と移動手段５側とは相互に業務委託契約を締結しており（矢印Ｊ）、再生施設４としては、廃油収容容器本体３の廃油は有価物として買い入れるので金を移動手段５の管理者に支払うこととなる（矢印Ｄ）。また、廃油保管箇所１の管理者と廃油保管箇所１との間には相互に廃油収容容器本体３の管理委託がなされている。さらに、移動手段５の管理者としては、廃油を有価物として買い入れるので金を廃油保管箇所１の管理者に支払うこととなる（矢印Ｄ´）。さらに、国、都道府県、市町村等行政機関１２が後押しする場合には、矢印Ｄ，Ｄ´に示した前記廃油収容容器本体３の廃油は有価物として買い入れるのではなく、行政機関１２より移動手段５の管理者へ業務委託がなされて（矢印Ｅ）、そして行政機関１２は回収の委託費を支払う（矢印Ｆ）。尚、矢印Ｋは廃油保管箇所１の管理者側と再生施設４とが廃油収容容器本体３の管理等を行なうためタイアップしているものである。
【００２１】
以上のように、第３実施形態においても廃油保管箇所１に設置した廃油収容容器本体３より寄せ集められた廃油が溢れ出るようなことはなく、一方移動手段５においても、移動手段５へ指示する前記出力情報を待って搬出すればよいので、常時廃油保管箇所１の廃油収容容器本体３を見まわる必要がなく、省人力で廃油の回収を行うことができる。
【００２２】
次に前記収容容器本体３について図４〜図７を参照説明する。鉄製で円筒状をなした廃油回収器本体３としてのドラム缶３１の上面蓋３２には、廃油回収口３３が形成されている。このドラム缶３１を縦置きして載置する台車３４は、下面に自在キャスター３５を備えているとともに、上面の三方の縁にはドラム缶３１の側面下部に係止可能な保持手段としての保持板３６が形成されている。
【００２３】
前記台車３４に載置した状態でドラム缶３１を収容するケーシング３７は、矩形な箱形状であり、その四側面のうち正面に、前記台車３４に載置した状態のドラム缶３１を出し入れするための出入り口３８を設け、さらにこの出入り口３８には開閉扉３９をヒンジ４０を介して回動自在に設ける。そして開閉扉３９には該開閉扉３９を閉じるための開閉扉用鉤４１を設ける。
【００２４】
また、前記ケーシング７の上面には、廃油投入口４２を設ける。この廃油投入口４２は、下部に廃油回収口３３に臨んで挿通可能なパイプ４３を設け、このパイプ４３の上部に平面が矩形で幅Ｗが大きい幅大な上部開口部４４を一体に接続したものである。そして、上部開口部４４はパイプ４３、廃油回収口３３を介してドラム缶３１に連通している。尚、４４Ａは上部開口部４４に設けた取手である。廃油投入口４２の上部開口部４４は、ケーシング３７の上面に形成された取付け部４５に設けられる。取付け部４５はケーシング３７の上面に凹設して窓孔状に形成されたものであり、上部開口部４４が着脱自在に嵌合している。そして、取付け部４５に上部開口部４４を取付けた状態で、その上面を開閉する開閉蓋４６をヒンジ４７を介して設けられ、さらにこの開閉蓋４６には閉じて固定するための開閉蓋用鉤４８が設けられている。
【００２５】
次に前記構成についてその作用を説明する。ドラム缶３１は台車３４載置した状態でケーシング３７収容されて、開閉扉用鉤４１がかかっている。また、廃油投入口４２は取付け部４５に取付けられており、パイプ４３は廃油回収口３３挿通している。そして、通常時においては開閉蓋用鉤４８はかかっていないが、開閉蓋４６は閉じている。
【００２６】
そして、家庭から排出された廃油は各家庭においてビン４９などにより溜められており、この溜まった廃油をお買い物ついでにスーパーマーケットなどに持って来て、まず開閉蓋４６を開け、そしてビン４９などの廃油を上部開口部４４に投入する。すると、廃油はパイプ４３を通って廃油回収口３３りドラム缶３１溜められる。尚、スーパーマーケットなどの閉店時などにおいては、開閉蓋用鉤４８をかけていたずらなどを防止する。
【００２７】
そして、廃油がドラム缶３１ほぼ満杯に近く溜まると、開閉扉用鉤４１を開けて廃油がほぼ満杯のドラム缶３１、開閉扉３９を開いてドラム缶３１台車３４に載置した状態で回収する。この際には、予め開閉扉３９を開き、そして廃油投入口４２を抜き出しておく。このようにして、廃油を収容したドラム缶３１を回収した後に、空の新たなドラム缶３１を、前記搬出したドラム缶３１に使用した台車に載置してケーシング３７に収容する。この後に、廃油投入口４２を取付け部４５に取付けてパイプ４３を廃油回収口３３に挿通するとともに、開閉扉３９を閉じる。また、開閉扉３９を閉じた後に開閉扉用鉤４１をかけて保管管理する。
【００２８】
このような、ドラム缶３１を利用したものを使用することにより、衛生的に廃油を保管することができる。
【００２９】
次に前記収容容器本体３の他の実施形態について図９〜図１０を参照説明する。ドラム缶３１の上面に、該上面に設けた廃油回収口３３を覆うように蓋状のカバー６１を設ける。また、廃油回収口３３上には廃油投入口４２が設けられる。廃油投入口４２は、下部に廃油回収口３３に臨んで挿通可能なパイプ４３を設け、このパイプ４３の上部に平面が矩形で幅Ｗが大きい幅大な上部開口部４４を一体に接続したものである。そして、上部開口部４４はパイプ４３、廃油回収口３３を介してドラム缶３１に連通している。前記上部開口部４４上方の前記カバー６１の部位には、開閉扉６２がヒンジ６２Ａによって開閉自在に設けられる。すなわち、廃油投入口４２は廃油回収口３３開閉扉６２との間に着脱自在に配置されている。
【００３０】
さらに、前記カバー６１はその側周面６１Ａの複数箇所にそれぞれ螺合したボルト等の螺子軸６３の先端をドラム缶１の周面に押圧して固定されている。また、開閉扉６２には鍵６４が設けられて、該鍵２４をかけることにより開閉扉２２を閉じて固定できるようになっている。
【００３１】
尚、本発明は上記実施形態に限定されるものではなく、本発明の要旨の範囲内において、種々の変形実施が可能である。例えば、廃油収容容器本体３に液位検知センサーを取付けておき、この液位検知センサーと管理用コンピュータを電話回線等通信手段を介して接続したり、また液位検知センサーのデータを送信用コンピュータと管理用コンピュータを電話回線等通信手段を介して接続したり、さらに管理用コンピュータと移動手段５側に設けた受信用コンピュータとを電話回線等通信手段を介して接続するように、インターネットを利用するようにしてもよい。さらに、図８に示すようにケーシング３７の上部に廃油回収用表示部５１を設けてもよい。
【００３２】
【発明の効果】
請求項１の発明は、コンピュータシステムにより家庭からの廃油を回収する方法において、家庭から排出される廃油を持ち寄って溜めるスーパーマーケット等商店、地域公共センター等の廃油保管箇所に設置した廃油収容容器本体と、前記廃油収容容器本体を搬出する移動手段と、前記搬出された廃油収容容器本体の廃油を受け入れて再生する再生施設と、前記廃油収容容器本体の廃油の保管量に応じた入力情報と前記移動手段へ指示する出力情報とを通信手段を介して接続した管理用コンピュータとを備えたことを特徴とする家庭からの廃油回収方法であり、家庭から排出される廃油を持ち寄って溜める廃油収容容器本体の保管量に応じた入力情報と前記移動手段へ指示する出力情報とを通信手段を介して接続した管理用コンピュータを設けたことにより、廃油保管箇所に設置した廃油収容容器本体より寄せ集められた廃油が溢れ出るようなことはなく、一方移動手段においても、移動手段へ指示する前記出力情報を待って搬出すればよいので、常時廃油保管箇所の廃油収容容器本体を見まわる必要がなく、省人力で廃油の回収を行うことができる。
【００３３】
請求項２の発明は、前記管理用コンピュータの表示部には、前記廃油保管箇所の表示と、前記廃油保管箇所に対応する廃油の保管量の表示がなされることを特徴とする請求項１記載の家庭からの廃油回収方法であり、各廃油保管箇所の廃油の量を把握でき、回収が必要な廃油保管箇所を簡単に把握することができる。
【００３４】
請求項３の発明は、前記廃油収容容器本体がドラム缶であることを特徴とする請求項１記載の家庭からの廃油回収方法であり、家庭から排出される天ぷら油等廃食用油も、スーパーマーケット等の業務用のものと同様にドラム缶によって回収できる。
【図面の簡単な説明】
【図１】本発明の第１実施形態を示す説明図である。
【図２】本発明の第２実施形態を示す説明図である。
【図３】本発明の第３実施形態を示す説明図である。
【図４】本考案の廃油収容容器本体の一実施形態を示す分解斜視図である。
【図５】本考案の廃油収容容器本体の一実施形態を示す要部の透視斜視図である。
【図６】本発明の廃油収容容器本体の一実施形態を示す廃油投入口を取り出した状態の斜視図である。
【図７】本発明の廃油収容容器本体の一実施形態を示す斜視図である。
【図８】本考案の廃油収容容器本体の他の実施形態を示す斜視図である。
【図９】本発明の廃油収容容器本体の他の実施形態を示す廃油投入口を取り出した状態の斜視図である。
【図１０】本発明の廃油収容容器本体の他の実施形態を示す要部の断面図である。
【符号の説明】
１　廃油保管箇所
２　家庭
３　廃油収容容器本体
４　再生施設
７　コンピュータ
８　表示部
１０　１１　通信手段
８１　廃油保管箇所を示す表示８１
８２　保管量の表示
【図１】
2004062746.tif 000003
【図２】
2004062746.tif 000004
【図３】
2004062746.tif 000005
【図４】
2004062746.tif 000006
【図５】
2004062746.tif 000007
【図６】
2004062746.tif 000008
【図７】
2004062746.tif 000009
【図８】
2004062746.tif 000010
【図９】
2004062746.tif 000011
【図１０】
2004062746.tif 000012